(57)【要約】【課題】  ねじを螺脱するという通常の開封操作によって、第二剤として液状物だけでなく、どのような形態のものでも、確実に混合可能な二剤混合キャップを提供すること。【解決手段】  第一剤を収納した容器本体の口部に装着され、第二剤を収納する収納筒を有する内キャップと、内キャップに螺合して着脱可能に装着される外キャップとからなる二剤混合キャップであって、内キャップは、収納筒内周からフランジ部を介して連設され、内周に第１係合突部を設けるとともに外周に第１歯部を設けた筒状壁を立設する栓体を有し、外キャップは、頂壁から垂下し、外周に第１係合突部に係合可能な第２係合突部が形成された係着部と、係着部の外側に配設され内周に第２歯部を設けた係合筒部とを有し、収納筒の下端部には、薄肉弱化部が設けられることを特徴とする。【選択図】  図１
2019026294.tif 000002
【特許請求の範囲】
【請求項１】
第一剤を収納した容器本体の口部に装着され、第二剤を収納する収納筒を有する内キャップと、内キャップに螺合して着脱可能に装着される外キャップとからなる二剤混合キャップであって、
内キャップは、収納筒外周に連設される上壁と、上壁から垂設され、容器本体の口部に装着される外筒と内筒とを有するとともに、収納筒内周からフランジ部を介して連設され、内周に第１係合突部を設けるとともに外周に第１歯部を設けた筒状壁を立設する栓体を有し、
外キャップは、頂壁から垂下し、外周に第１係合突部に係合可能な第２係合突部が形成された係着部と、係着部の外側に配設され内周に第２歯部を設けた係合筒部とを有し、
第１歯部と第２歯部は、外キャップを内キャップから螺脱させるときのみ当接係合するラチェット機構を構成し、収納筒の下端部には、薄肉弱化部が設けられ、螺脱に際して、薄肉弱化部が破断され、収納筒の第二剤が容器本体内に落下し、容器本体内の第一剤と混合されることを特徴とする二剤混合キャップ。
【請求項２】
第１歯部は、周方向複数箇所に設けられた係合突起であり、第２歯部は、周方向複数箇所に設けられた係合腕であることを特徴とする請求項１に記載の二剤混合キャップ。
【請求項３】
収納筒は、薄肉弱化部の外側の外側収納筒部と、内側の内側収納筒部からなり、外側収納筒部の上部には注出筒が形成されていることを特徴とする請求項１または２に記載の二剤混合キャップ。
【請求項４】
外キャップは、頂壁から垂設され、係合筒部の外側に内キャップの注出筒をシールするシール筒部、さらに、シール筒部の外側にねじ筒部を有し、ねじ筒部の内周面にねじ部が設けられ、注出筒の外周面に設けられたねじ部と螺合することを特徴とする請求項３に記載の二剤混合キャップ。
【請求項５】
外キャップの外周面を形成する外周壁の下端には、破断可能な複数の弱化連結部により連結された封緘リングが設けられ、
封緘リングの内周面には、内キャップの外筒の外周面に突設された突部に係合可能な縮径段部が設けられていることを特徴とする請求項１〜４のいずれかに記載の二剤混合キャップ。
【発明の詳細な説明】
【技術分野】
【０００１】
本発明は、二剤混合キャップに関し、とくに分離して収納した二剤を簡単な操作で混合することが可能な二剤混合キャップに関するものである。
【背景技術】
【０００２】
使用直前に二剤を混合して使用する二剤混合容器として、第一剤を容器本体に収納し、第二剤を容器本体の口部上方に装着され、下端開口をシートで封止した逆カップ状の容器に収納し、シートを破断刃によって破断し、二剤を混合させるようにした混合容器は、従来より知られている（例えば、特許文献１参照）。
【先行技術文献】
【特許文献】
【０００３】
【特許文献１】特開２００７−２０４１０５号公報
【発明の概要】
【発明が解決しようとする課題】
【０００４】
しかしながら、上記特許文献１記載の二剤混合容器は、第二剤を収納した収納容器を、上部キャップの内筒内方に倒立して保持するものであり、その真下に上向き破断刃があるため、搬送時の衝撃や振動等によって収納容器が落下した場合には、シートを破断してしまうおそれがある。
また、シートの破断に際して、シートは一部に未切断部を形成して垂れ下がり、収納容器内の第二剤を容器本体内に落とすものであるため、第二剤が液状物の場合にはまだしも、第二剤が粉末状、顆粒状、ゼリー状、固形物等の場合には、第二剤が十分に落ちきらないおそれがあるものである。
さらには、封緘帯を取り除いてから上部キャップのねじを押し回して、シートと蓋壁を破断刃で破断し、第二剤を容器本体内に落として混合した後、使用の際には、下部キャップを逆方向に回転して、キャップ全体を取り外さなければならないという、使用者にとってわかりにくく、かつ手間がかかるという問題があった。
【０００５】
本発明は、上記問題を解決することを課題とし、ねじを螺脱するという通常の開封操作のみで、第二剤として液状物だけでなく、粉末状、顆粒状、ゼリー状、固形物のどのようなものでも、確実に混合することが可能な二剤混合キャップを提供することを目的とする。
【課題を解決するための手段】
【０００６】
本発明は、上記の課題を解決するため、二剤混合キャップとして、第一剤を収納した容器本体の口部に装着され、第二剤を収納する収納筒を有する内キャップと、内キャップに螺合して着脱可能に装着される外キャップとからなる二剤混合キャップであって、内キャップは、収納筒外周に連設される上壁と、上壁から垂設され、容器本体の口部に装着される外筒と内筒とを有するとともに、収納筒内周からフランジ部を介して連設され、内周に第１係合突部を設けるとともに外周に第１歯部を設けた筒状壁を立設する栓体を有し、外キャップは、頂壁から垂下し、外周に第１係合突部に係合可能な第２係合突部が形成された係着部と、係着部の外側に配設され内周に第２歯部を設けた係合筒部とを有し、第１歯部と第２歯部は、外キャップを内キャップから螺脱させるときのみ当接係合するラチェット機構を構成し、収納筒の下端部には、薄肉弱化部が設けられ、螺脱に際して、薄肉弱化部が破断され、収納筒の第二剤が容器本体内に落下し、容器本体内の第一剤と混合されることを特徴とする構成を採用する。
【０００７】
二剤混合キャップの実施形態として、第１歯部は、周方向複数箇所に設けられた係合突起であり、第２歯部は、周方向複数箇所に設けられた係合腕であることを特徴とする構成、収納筒は、薄肉弱化部の外側の外側収納筒部と、内側の内側収納筒部からなり、外側収納筒部の上部には注出筒が形成されていることを特徴とする構成、外キャップは、頂壁から垂設され、係合筒部の外側に内キャップの注出筒をシールするシール筒部、さらに、シール筒部の外側にねじ筒部を有し、ねじ筒部の内周面にねじ部が設けられ、注出筒の外周面に設けられたねじ部と螺合することを特徴とする構成を採用する。
【０００８】
二剤混合キャップのさらなる実施形態として、外キャップの外周面を形成する外周壁の下端には、破断可能な複数の弱化連結部により連結された封緘リングが設けられ、封緘リングの内周面には、内キャップの外筒の外周面に突設された突部に係合可能な縮径段部が設けられていることを特徴とする構成を採用する。
【発明の効果】
【０００９】
本発明の二剤混合キャップは、内キャップの収納筒内に第二剤が収納され、外キャップを内キャップから螺脱させるときのみ係合するラチェット機構を利用し、外キャップの螺脱の際に、収納筒下端の薄肉弱化部が破断され、収納筒内に収納された第二剤が容器本体内に落下し、難しい操作をすることなく、通常の開蓋操作によって容器本体内の第一剤と混合することができる。
【００１０】
また、薄肉弱化部全体が確実に破断されるため、第二剤として液状物だけでなく、粉末状、顆粒状、ゼリー状、固形物など、どのような形状のものであっても、確実に容器本体内に落とすことができ、第一剤と混合することができる。
【図面の簡単な説明】
【００１１】
【図１】本発明の二剤混合キャップの閉蓋状態示す図であり、（ａ）は図（ｂ）のＸ−Ｘ線矢視断面図、（ｂ）は断面側面図である。
【図２】本発明の二剤混合キャップの内キャップを示す図であり、（ａ）は上面図、（ｂ）は一部断面側面図である。
【図３】本発明の二剤混合キャップの外キャップを示す図であり、（ａ）は断面側面図、（ｂ）は下面図である。
【図４】本発明の二剤混合キャップの開蓋途中を示す断面側面図である。
【発明を実施するための形態】
【００１２】
次に、本発明の二剤混合キャップについて、実施例を示した図面を参照して説明する。
【実施例１】
【００１３】
図１〜４において、Ａは容器本体、Ｂは容器本体Ａに装着される内キャップ、Ｃは内キャップに螺合して装着される外キャップである。
【００１４】
図１（ｂ）および図４に示すように、容器本体Ａの口部１には、内キャップＢの第１ねじ部（雌ねじ）８に螺着するための第１ねじ部（雄ねじ）２と、第１ねじ部（雄ねじ）２の下方にネックリング３が突設されている。
【００１５】
図１および図２に示すように、内キャップＢは、外周側の外筒５、内周側の内筒６、口部１の天面側に位置する上壁７と、上壁７に連設され、第二剤を収納するための収納筒１０、さらに収納筒１０にフランジ部１１を介して連設される栓体１２とからなる。
【００１６】
収納筒１０の下端部に薄肉弱化部１３が設けられ、薄肉弱化部１３の外側が外側収納筒部１４となり、内側が内側収納筒部１５となる。
また、外側収納筒部１４の上部は注出筒１６を形成し、注出筒１６の外周面には、第２ねじ部（雄ねじ）１７が設けられ、内側収納筒部１５の上部は外キャップＣの係合筒部３６の押さえの役割を担う。
【００１７】
栓体１２は、上部に円筒状の筒状壁１８が立設され、下部は底壁１９で封鎖されている。
筒状壁１８は、外周にラチェット機構の一方の第１歯部を構成する係合突起２０が周方向４箇所に突設され、内周上部には第１係合突部２１が環状に突設されている。
また、本実施例では係合突起２０は周方向４箇所に設けているが、４箇所に限らず栓体の形状等に合わせて複数の適宜箇所に設けることができる。
【００１８】
底壁１９は、筒状壁１８の外周側に連設されるフランジ部１１を介して収納筒１０の内側収納筒部１５に連結されている。
【００１９】
外筒５の内周面には口部１に螺着するための第１ねじ部（雌ねじ）８が設けられており、また、外筒５の外周面には、外キャップＣの封緘リング３３を係止するための突部２３が設けられている。
【００２０】
図３に示すように、外キャップＣは、天板部に設けられた頂壁３０と、頂壁３０の外周縁から垂設された外周壁３１とを有し、外周壁３１の下端には、破断可能な複数の弱化連結部３２により連結された封緘リング３３が設けられている。
頂壁３０の内面には、中央付近に垂設された係着部３５から外側へ順に、係合筒部３６、シール筒部３７、ねじ筒部３８が頂壁３０と一体に垂設されている。
【００２１】
係着部３５には、内キャップＢの第１係合突部２１を乗り越えて筒状壁１８の内周面に緊密に嵌合する環状の第２係合突部４０が先端外周に形成されている。
係合筒部３６の内周には、第１歯部を構成する係合突起２０に係合する第２歯部を構成する係合腕４１が係合突起２０と同数の周方向４箇所に設けられている。
係合筒部３６は、外周側は内側収納筒部１５の上部内周に当接するとともに、先端部がフランジ部１１とわずかな隙間をもって嵌入するところまで延びている。
【００２２】
係合腕４１は、収納筒１０の下端部の薄肉弱化部１３を破断可能な回転力を伝えることができる程度の強度と、外キャップＣの締め込み時に係合突起２０を乗り越えることができる程度の可撓性を有する部材からなっている。
【００２３】
シール筒部３７は、内キャップＢの注出筒１６の内周側をシールする。
ねじ筒部３８は、内周面に内キャップＢの第２ねじ部（雄ねじ）１７に螺合する第２ねじ部（雌ねじ）３９が設けられている。
【００２４】
ねじ筒部３８の下端面が上壁７に当接すると外キャップＣの締め込みが完了する。
このとき、係合筒部３６は、先端部がフランジ部１１とわずかな隙間をもって嵌入し、同時に、第２係合突部４０が第１係合突部２１を乗り越えて嵌合するように、ねじ筒部３８の高さが設定されている。
【００２５】
外周壁３１の外周面にはローレット４２が形成され、外周壁３１の下端には、破断可能な複数の弱化連結部３２により封緘リング３３が連結されており、弱化連結部３２は周方向４箇所に設けられている。
弱化連結部３２の数はこれに限定されず、適宜設定することができる。
封緘リング３３の内周面には、内キャップＢの外筒５の外周面に設けられた突部２３に係合する縮径段部４３が形成されている。
次に、本実施例の使用態様と作用効果について説明する。
【００２６】
本実施例では、容器本体Ａ内には図示しない第一剤が充填され、また、第二剤ａが内キャップＢの収納筒１０内に充填される。
本実施例の二剤混合キャップを容器本体Ａに装着するには、内キャップＢの収納筒１０に第二剤ａを充填収納してから外キャップＣを螺合して締め込み、内キャップＢと外キャップＣを組み立ててから、内キャップＢの第１ねじ部（雌ねじ）８を、第一剤の充填された容器本体Ａの口部１の第１ねじ部（雄ねじ）２にあてがって螺着する。
【００２７】
内キャップＢの収納筒１０内に第二剤ａを収納後、内キャップＢの第２ねじ部（雄ねじ）１７に外キャップＣの第２ねじ部（雌ねじ）３９を螺合して締め込む際には、外キャップＣを閉方向に回転し、外キャップＣの係合腕４１は内キャップＢの係合突起２０を乗り越え、外キャップＣの回転が許容される。
また、内キャップＢはまだ容器本体Ａの口部１に螺合していないので、外筒５は若干の変形が可能であり、外キャップＣの封緘リング３３の縮径段部４３は外筒５の突部２３の高みを乗り越えて下降することができる。
なお、内キャップＢに外キャップＣを締め込むには、図示しない治具を用いて内キャップＢを固定して行うことができる。
【００２８】
外キャップＣが螺合によって下降していくと、係着部３５の第２係合突部４０が筒状壁１８の第１係合突部２１に当接するようになり、さらに下降することにより、第２係合突部４０が第１係合突部２１を乗り越えて、筒状壁１８の内周面に嵌合するようになる。
さらに、外キャップＣが下降し、最終的には、シール筒部３７に外側収納筒部１４上部の注出筒１６が当接嵌合するとともに、ねじ筒部３８の下端面が上壁７に当接して第２ねじ部（雄ねじ）１７と第２ねじ部（雌ねじ）３９の締結が完了する。
【００２９】
第２ねじ部（雄ねじ）１７と第２ねじ部（雌ねじ）３９の締結が完了したとき、ラチェット機構は、図１（ａ）に示すセット状態、すなわち、係合腕４１が、係合突起２０に当接ないしは当接寸前の状態にセットされるように設定されている。
このように設定されていることによって、外キャップＣがセット状態（締結状態）から容易に回動することはなく、わずかな衝撃によって不用意に開栓することを防ぐことができるとともに、開栓時に外キャップＣを回動する初動時の負荷が急激に大きくならないようになめらかにねじを始動することができる。
また、セット状態では、封緘リング３３の縮径段部４３は外筒５の突部２３より下方まで下降している。
【００３０】
第二剤ａが充填され、セット状態に組立られた本実施例の二剤混合キャップを、第一剤が充填された容器本体Ａに螺合していくと、口部１が外筒５を外側にわずかに押し広げ、外筒５の外周面の突部２３が拡径して、封緘リング３３の縮径段部４３に係合可能になる。
そのため、封緘リング３３を除去しないかぎり開封することができなくなり、目視で開封状況を容易に確認することができるので、いたずら等による開封を防止することができる。
さらに、螺合が進むと、外筒５の下部がネックリング３を越え、ネックリング３が外筒５の内周を締め付け、二剤混合キャップは容器本体Ａの口部１に固定される。
【００３１】
なお、本実施例では、内キャップＢと外キャップＣとがセット状態に組み立てられた二剤混合キャップを容器本体Ａに螺合して装着するものであるが、内キャップＢの内筒６と外筒５との間に容器本体Ａの口部１を嵌合させるような打栓による装着であってもよい。
また、二剤混合キャップで閉蓋された容器本体Ａ内に収納される第一剤はもとより、内キャップＢの収納筒１０内に収納される第二剤ａも、外側収納筒部１４の上部の注出筒１６はその上部内周面を外キャップＣのシール筒部３７でシールされるとともに、内側収納筒部１５の上部内周側が係合筒部３６に当接し、密封状態が保たれている。
【００３２】
次に、本実施例の二剤混合キャップが装着された容器を使用するには、外キャップＣを内キャップＢに対し、螺脱方向［図４における矢印方向］に回転させる。そのとき、内キャップＢの外筒５がネックリング３により締め付けられ、固定されているので、内キャップＢは容器本体Ａの螺脱方向に同時に回転することはない。
前述したとおり、外キャップＣの回動開始時は、係合腕４１と係合突起２０とが離れているのでなめらかに回転が始まり、係合腕４１が係合突起２０に当接して係合するようになると、外キャップＣの回転力がラチェット機構を介して内キャップＢの栓体１２に加わるようになる。
【００３３】
このとき、係着部３５の第２係合突部４０が筒状壁１８の第１係合突部２１を乗り越え、筒状壁１８の内周面に緊密に嵌合しているので、筒状壁１８を内側から補強して外キャップＣの回転力がラチェット機構を介して栓体１２に伝わりやすくなっているとともに、ねじの回転に伴って栓体１２を上方に引き上げる力を発生させる。
図４に示すように、外キャップＣの回転が進むと、栓体１２に加わる回転力と引き上げ力により、ついには収納筒１０の下端部の薄肉弱化部１３が破断して、収納筒１０が外側収納筒部１４と内側収納筒部１５に分離され、収納筒１０内に収納された第二剤ａが、容器本体Ａ内に落下し始め、収納筒１０の内側収納筒部１５が栓体１２とともに、筒状壁１８に係合する係着部３５によって引き上げられて上昇し、薄肉弱化部１３の破断が完了するとともに、第二剤ａは完全に容器本体Ａ内に落ち込み、容器本体Ａ内の第一剤と混合される。
【００３４】
同時に、封緘リング３３の縮径段部４３が突部２３に係合してそれ以上の上昇が阻止され、弱化連結部３２が破断して、封緘リング３３は外キャップＣから分離され、目視で開封されたことがわかる。
第２ねじ部（雌ねじ）３９が第２ねじ部（雄ねじ）１７から螺脱して外キャップＣを内キャップＢから離脱すれば、外キャップＣとともに内側収納筒部１５と栓体１２とが除去され、外側収納筒部１４の上部の注出筒１６の開口から容器本体Ａ内で混合された、第一剤と第二剤ａからなる混合内容物を注出することができる。
なお、よく混合された内容物を注出するには、再度外キャップＣを内キャップＢに螺合し、容器本体Ａをよく振って混合してから、外キャップＣのみを螺脱して混合内容物を注出するか、封緘リング３３が外れた内キャップＢの外筒５を強く把持して開方向に回すことによって、外キャップＣが螺合したまま内キャップＢを螺脱することができ、口部１から混合内容物を注出することができる。
【００３５】
外キャップＣを内キャップＢに装着するには、内側収納筒部１５と栓体１２の付いた外キャップＣのねじ筒部３８の第２ねじ部（雌ねじ）３９を内キャップＢの注出筒１６の第２ねじ部（雄ねじ）１７にあてがい、螺合させるだけでよい。そのとき、シール筒部３７は注出筒１６の上部内周をシールし、容器本体Ａ内の混合された内容物を密封することができる。
【００３６】
なお、本実施例では、第１ねじ部と第２ねじ部と二つのねじ部があるため、第１ねじ部を第２ねじ部に対して逆ねじとしたり、回り止め機構を設けることができる。
【産業上の利用可能性】
【００３７】
本発明の二剤混合キャップは、外キャップの内キャップからの螺脱の際に、収納筒下端部の薄肉弱化部を破断して、収納筒に収納された第二剤が容器本体内に落下するため、難しい操作をすることなく、通常の開蓋操作によって容器本体内に収納された第一剤と混合することができる。
また、薄肉弱化部全体が確実に破断されるため、第二剤として液状物だけでなく、粉末状、顆粒状、ゼリー状、固形物などどのような形状のものでも、容器本体内に確実に落とすことができるので、使用直前に混合して使用する飲食品や調味料などの他にも、薬品、化粧品、洗浄剤など、幅広い用途に適用可能である。
【符号の説明】
【００３８】
Ａ            容器本体
Ｂ            内キャップ
Ｃ            外キャップ
ａ            第二剤
１            口部
２            第１ねじ部（雄ねじ）
３            ネックリング
５            外筒
６            内筒
７            上壁
８            第１ねじ部（雌ねじ）
１０            収納筒
１１            フランジ部
１２            栓体
１３            薄肉弱化部
１４            外側収納筒部
１５            内側収納筒部
１６            注出筒
１７            第２ねじ部（雄ねじ）
１８            筒状壁
１９            底壁
２０            係合突起（第１歯部）
２１            第１係合突部
２３            突部
３０            頂壁（天板部）
３１            外周壁
３２            弱化連結部
３３            封緘リング
３５            係着部
３６            係合筒部
３７            シール筒部
３８            ねじ筒部
３９            第２ねじ部（雌ねじ）
４０            第２係合突部
４１            係合腕（第２歯部）
４２            ローレット
４３            縮径段部
【図１】
2019026294.tif 000003
【図２】
2019026294.tif 000004
【図３】
2019026294.tif 000005
【図４】
2019026294.tif 000006